(57)【要約】【課題】噴きこぼれを防止できる電子レンジ加熱用紙容器を提供する。【解決手段】紙層３１の内面に樹脂フィルム３３を配した積層体により形成される電子レンジ加熱用紙容器１において、矩形の底面板５と、底面板５の対向する２辺から折曲される一対の第１側面板６と、底面板５の対向する２辺から折曲して第１側面板６間に配される一対の第２側面板７と、第１側面板６と第２側面板７とを連結するとともに底面板５の頂点から延びる折り線２０上で二つ折りされるとともに第１側面板６の外面上に接着される複数の折込片１１と、第１側面板６または第２側面板７の上端から折曲して上面を開閉する上面板８と、対向する第１側面板６の上端間の距離Ｌ１が第２側面板７の上端の長さＬ２よりも短い状態で第１側面板６を係止する係止部とを備えた。【選択図】図１
2020083398.tif 000002
【特許請求の範囲】
【請求項１】
紙層の内面に樹脂フィルムを配した積層体により形成される電子レンジ加熱用紙容器において、矩形の底面板と、前記底面板の対向する２辺から折曲される一対の第１側面板と、前記底面板の対向する２辺から折曲して前記第１側面板間に配される一対の第２側面板と、前記第１側面板と前記第２側面板とを連結して前記底面板の頂点から延びる折り線上で二つ折りされるとともに前記第１側面板の外面上に接着される複数の折込片と、前記第１側面板または前記第２側面板の上端から折曲して上面を開閉する上面板と、対向する前記第１側面板の上端間の距離が前記第２側面板の上端の長さよりも短い状態で前記第１側面板を係止する係止部とを備えたことを特徴とする電子レンジ加熱用紙容器。
【請求項２】
前記上面板が前記第１側面板の上端からそれぞれ折曲され、各前記上面板上に設けた前記係止部が互いに係合して前記第１側面板を係止することを特徴とする請求項１に記載の電子レンジ加熱用紙容器。
【請求項３】
前記係止部が前記第２側面板の対向する方向に延びる切込みにより形成されることを特徴とする請求項２に記載の電子レンジ加熱用紙容器。
【請求項４】
前記第２側面板の上端から折曲して切り取り可能に形成される上面フラップを備えたことを特徴とする請求項２または請求項３に記載の電子レンジ加熱用紙容器。
【請求項５】
前記第１側面板の上端間の距離が前記第２側面板の上端の長さに略等しい状態で前記第１側面板を係止する補助係止部を各前記上面板に設けたことを特徴とする請求項２〜請求項４のいずれかに記載の電子レンジ加熱用紙容器。
【請求項６】
前記補助係止部が前記上面板の先端から前記第１側面板の対向する方向に延びる切込みにより形成されることを特徴とする請求項５に記載の電子レンジ加熱用紙容器。
【請求項７】
前記第１側面板の上端からそれぞれ折曲される一対の上面フラップを備えるとともに、前記上面板が前記第２側面板の上端から折曲され、前記係止部が前記上面板に設けられるスリットと、前記上面フラップに設けられて前記スリットに差し込まれる差込片とを有することを特徴とする請求項１に記載の電子レンジ加熱用紙容器。
【発明の詳細な説明】
【技術分野】
【０００１】
本発明は、内容物を収納して電子レンジにより加熱される電子レンジ加熱用紙容器に関する。
【背景技術】
【０００２】
従来の電子レンジ加熱用紙容器は特許文献１に開示される。この電子レンジ加熱用紙容器は一枚のブランク板を折り曲げて形成され、矩形の底面板から複数の側面板が立設される。隣接する側面板は二つ折りした折込片により連結される。一対の対向する側面板の上端にはそれぞれ折り線を介して上面板が連設され、他の一対の対向する側面板の上端にはそれぞれ折り線を介してフラップが連設される。側面板から上面板を折曲して電子レンジ加熱用紙容器の上面が開閉される。折込片はフラップを設けた側面板上に接着される。
【０００３】
内容物を収納した電子レンジ加熱用紙容器は上面板を開いた状態または閉じた状態で電子レンジによりマイクロ波加熱して調理される。
【先行技術文献】
【特許文献】
【０００４】
【特許文献１】特開２００８−６８８８５号公報（第５頁〜第８頁、第６図）
【発明の概要】
【発明が解決しようとする課題】
【０００５】
上記構成の電子レンジ加熱用紙容器において、上面板を閉じて雑炊等の流動性の内容物を加熱調理すると、内部で発生する蒸気が上面板と側面板との隙間及び二つ折りした折込片の内面間を通って放出される。この時、折込片の内面間に形成される流路が狭いため、内容物が突沸して圧力が加わった際に折込片から内容物が噴きこぼれる問題があった。
【０００６】
本発明は、内容物の噴きこぼれを防止できる電子レンジ加熱用紙容器を提供することを目的とする。
【課題を解決するための手段】
【０００７】
上記目的を達成するために本発明は、紙層の内面に樹脂フィルムを配した積層体により形成される電子レンジ加熱用紙容器において、矩形の底面板と、前記底面板の対向する２辺から折曲される一対の第１側面板と、前記底面板の対向する２辺から折曲して前記第１側面板間に配される一対の第２側面板と、前記第１側面板と前記第２側面板とを連結して前記底面板の頂点から延びる折り線上で二つ折りされるとともに前記第１側面板の外面上に接着される複数の折込片と、前記第１側面板または前記第２側面板の上端から折曲して上面を開閉する上面板と、対向する前記第１側面板の上端間の距離が前記第２側面板の上端の長さよりも短い状態で前記第１側面板を係止する係止部とを備えたことを特徴としている。
【０００８】
この構成によると、電子レンジによる調理時に第１側面板が係止部により係止され、蒸気が折込片の内面間の流路を通って放出される。この時、第１側面板の上端間の距離が第２側面板の上端の長さよりも短いため、折込片の内面間の流路が広く形成される。
【０００９】
また本発明は上記構成の電子レンジ加熱用紙容器において、前記上面板が前記第１側面板の上端からそれぞれ折曲され、各前記上面板上に設けた前記係止部が互いに係合して前記第１側面板を係止することを特徴としている。
【００１０】
また本発明は上記構成の電子レンジ加熱用紙容器において、前記係止部が前記第２側面板の対向する方向に延びる切込みにより形成されることを特徴としている。
【００１１】
また本発明は上記構成の電子レンジ加熱用紙容器において、前記第２側面板の上端から折曲して切り取り可能に形成される上面フラップを備えたことを特徴としている。
【００１２】
また本発明は上記構成の電子レンジ加熱用紙容器において、前記第１側面板の上端間の距離が前記第２側面板の上端の長さに略等しい状態で前記第１側面板を係止する補助係止部を各前記上面板に設けたことを特徴としている。
【００１３】
また本発明は上記構成の電子レンジ加熱用紙容器において、前記補助係止部が前記上面板の先端から前記第１側面板の対向する方向に延びる切込みにより形成されることを特徴としている。
【００１４】
また本発明は上記構成の電子レンジ加熱用紙容器において、前記第１側面板の上端からそれぞれ折曲される一対の上面フラップを備えるとともに、前記上面板が前記第２側面板の上端から折曲され、前記係止部が前記上面板に設けられるスリットと、前記上面フラップに設けられて前記スリットに差し込まれる差込片とを有することを特徴としている。
【発明の効果】
【００１５】
本発明によると、対向する第１側面板の上端間の距離が第２側面板の上端の長さよりも短い状態で第１側面板を係止する係止部が設けられる。このため、調理時に第１側面板を係止部により係止し、折込片の内面間に形成される蒸気の流路を広く形成することができる。従って、流動性の内容物の突沸時に折込片から内容物が噴きこぼれることを防止できる。
【図面の簡単な説明】
【００１６】
【図１】本発明の第１実施形態の電子レンジ加熱用紙容器を示す斜視図
【図２】本発明の第１実施形態の電子レンジ加熱用紙容器を開いた状態を示す斜視図
【図３】本発明の第１実施形態の電子レンジ加熱用紙容器のブランク板を示す平面図
【図４】本発明の第１実施形態の電子レンジ加熱用紙容器のブランク板の層構成を示す断面図
【図５】本発明の第２実施形態の電子レンジ加熱用紙容器のブランク板を示す平面図
【図６】本発明の第２実施形態の電子レンジ加熱用紙容器の包装時の状態を示す斜視図
【図７】本発明の第３実施形態の電子レンジ加熱用紙容器の包装時の状態を示す斜視図
【図８】本発明の第３実施形態の電子レンジ加熱用紙容器のブランク板を示す平面図
【図９】本発明の第３実施形態の電子レンジ加熱用紙容器の調理時の状態を示す斜視図
【発明を実施するための形態】
【００１７】
＜第１実施形態＞
以下に図面を参照して本発明の実施形態を説明する。図１は第１実施形態の電子レンジ加熱用紙容器の斜視図を示している。図２は電子レンジ加熱用紙容器の上面を開いた状態を示す斜視図である。電子レンジ加熱用紙容器１（以下、「紙容器１」という）は紙層３１を含む積層体のブランク板３０（図３参照）を折曲して形成され、食品を収納する。
【００１８】
紙容器１は筒状の胴部３の下面を底面板５（図３参照）により閉じられ、内容物を収納する有底筒状の収納部１６を有している。収納部１６の上面は上面板８により開閉される。内容物を収納して上面板８を閉じた状態で紙容器１はシュリンクフィルム（不図示）によってシュリンク包装される。
【００１９】
底面板５は矩形に形成され、胴部３は一対の側面板６（第１側面板）及び一対の側面板７（第２側面板）により形成される。側面板６は底面板５の対向する２辺から折曲される。側面板７は底面板５の対向する２辺から折曲され、側面板６間に配される。隣接する側面板６と側面板７との間は折込片１１により連結される。折込片１１は二つ折りされ、側面板６の外面上に接着される。
【００２０】
一対の上面板８は各側面板６の上端から折曲される。また、各側面板７の上端から折曲される一対の上面フラップ９が設けられる。
【００２１】
図３は紙容器１を展開したブランク板３０の平面図を示している。紙容器１は一枚のブランク板３０を折り線２０及び折り線２１上で折曲して組み立てられる。折り線２０は押罫により形成され、折り線２１は所定周期で切込みを配したミシン目（図中、太線で示す）により形成される。折り線２１を押罫により形成してもよい。
【００２２】
ブランク板３０は矩形の底面板５の中心に対して点対称に形成される。底面板５の一方の対向する２辺には側面板６が折り線２０を介して連設され、他方の対向する２辺には側面板７が折り線２０を介して連設される。側面板６、７は底面板５から折曲により立設して胴部３（図１参照）を形成する。
【００２３】
側面板７には底面板５の反対側に折り線２１を介して上面フラップ９が連設される。側面板６には底面板５の反対側に折り線２１を介して上面板８が連設される。上面板８の開放端には突出部８ａが突出して設けられ、突出部８ａの根元から側面板７が対向する方向に延びる切込み８ｂが形成される。
【００２４】
隣接する側面板６と側面板７との間には折り線２０を介して略三角形の折込片１１が連設される。折込片１１は底面板５の各頂点から延びた折り線２０上で二つ折りされ、両面粘着テープ等によって側面板６の外面に接着される。
【００２５】
図４はブランク板３０の層構成を示す断面図である。ブランク板３０は紙層３１の内面側に樹脂フィルムの保護層３３を配した積層体により形成される。紙層３１は板紙により形成される。紙層３１の坪量は例えば２７０〜５５０ｇ／ｍ2であり、３５０〜４５０ｇ／ｍ2であるとより望ましい。紙層３１の外面上には図柄を表示する印刷層３１ａが印刷により形成される。
【００２６】
保護層３３はポリエチレンテレフタレート等の樹脂フィルムにより形成され、収納部１６（図２参照）の内面を防水して内容物の滲み出しを防止する。
【００２７】
保護層３３と紙層３１とはドライラミネートにより接着され、アクリル系接着剤、ウレタン系接着剤等から成る接着層３２が形成される。
【００２８】
前述の図１において、点対称な一対の上面板８を切込み８ｂ上で相互に差し込むことにより、上面板８が係合して収納部１６（図２参照）の上面が閉じられる。この時、対向する側面板６の上端間の距離Ｌ１は側面板７の上端の長さＬ２よりも短い状態で側面板６が係止される。即ち、切込み８ｂは距離Ｌ１が長さＬ２よりも短い状態で一対の側面板６を係止する係止部を構成する。
【００２９】
距離Ｌ１は、一方の上面板８の折り線２１から切込み８ｂまでの距離Ｌ３と、他方の上面板８の折り線２１から切込み８ｂまでの距離Ｌ４との和になっている（図３参照）。本実施形態では距離Ｌ３と距離Ｌ４とが等しいが、異なってもよい。
【００３０】
側面板６の上端間の距離Ｌ１が側面板７の上端の長さＬ２よりも短いため、側面板６に接着される折込片１１の内面間に広い流路１１ａが形成される。
【００３１】
上記構成の紙容器１において、例えば雑炊を調理する場合に米、具材等を収納した収納部１６内に適量の水が注入され、上面板８を閉じて電子レンジに投入される。内容物はマイクロ波により加熱され、所定時間が経過すると調理が終了する。これにより、上面板８を開いて雑炊を喫食することができる。
【００３２】
調理中に内容物から発生する蒸気は上面板８と胴部３との隙間や、折込片１１の内面間に形成される流路１１ａを介して放出される。この時、距離Ｌ１を長さＬ２よりも短くして流路１１ａが広く形成されるため、雑炊等の流動性の内容物が突沸しても折込片１１から噴きこぼれることを防止できる。
【００３３】
また、調理時にミシン目の折り線２１上で上面フラップ９を切り取るとより望ましい。これにより、上面板８と胴部３との隙間から蒸気が容易に放出され、内容物の突沸時に流路１１ａに流入する内容物の圧力を低下させることができる。このため、内容物が折込片１１から噴きこぼれることをより確実に防止できる。
【００３４】
本実施形態によると、対向する側面板６（第１側面板）の上端間の距離Ｌ１が側面板７（第２側面板）の上端の長さＬ２よりも短い状態で側面板６を係止する係止部（切込み８ｂ）が設けられる。このため、係止部により側面板６を係止し、側面板６の外面に接着した折込片１１の内面間に形成される蒸気の流路１１ａを広く形成することができる。従って、流動性の内容物の突沸時に折込片１１から内容物が噴きこぼれることを防止できる。
【００３５】
また、上面板８が側面板６の上端からそれぞれ折曲され、各上面板８上に設けた係止部（切込み８ｂ）が互いに係合して側面板６を係止する。これにより、距離Ｌ１が長さＬ２よりも短い状態で側面板６を係止する係止部を容易に実現することができる。
【００３６】
また、切込み８ｂが側面板７の対向する方向に延びるため、切込み８ｂの係合により側面板６が互いに離れず、係止部をより確実に形成することができる。尚、切込み８ｂは側面板７の対向する方向に対して平行でもよく、傾斜してもよい。
【００３７】
また、上面フラップ９が側面板７の上端から折曲して切り取り可能に形成される。このため、調理時に上面フラップ９を切り取ることにより、折込片１１から内容物が噴きこぼれることをより確実に防止できる。
【００３８】
本実施形態において、上面板８に設けた切込み８ｂにより側面板６を係止する係止部が形成されるが、他の構成によって上面板８に係止部を設けてもよい。例えば、突出部８ａの一側辺を傾斜して側面板６に近づくに従って突出部８ａの幅を狭くする凹部を上面板８に設け、凹部の係合により側面板６を係止する係止部を形成してもよい。また、一方の上面板８にスリットを設けて他方の上面板８に差込片を設け、差込片がスリットに係合して側面板６を係止する係止部を形成してもよい。
【００３９】
また、一方の側面板６のみに上面板８を設け、上面板８の先端に折り線を介して連設した差込片により係止部を構成してもよい。この時、側面板６が対向する方向の上面板８の長さが側面板７の上端の長さＬ２よりも短く形成される。これにより、他方の側面板６と上面フラップ９との間に差込片を差し込むことで、距離Ｌ１が長さＬ２よりも短い状態で側面板６を係止することができる。
【００４０】
＜第２実施形態＞
次に、図５は第２実施形態の紙容器１のブランク板３０の平面図を示している。説明の便宜上、前述の図１〜図４に示す第１実施形態と同様の部分には同一の符号を付している。本実施形態は上面板８に切込み８ｃ、８ｄが設けられる。その他の部分は第１実施形態と同様である。
【００４１】
切込み８ｃ、８ｄは上面板８の開放端に設けられ、側面板６の対向する方向に延びる。切込み８ｃは突出部８ａ上に形成され、切込み８ｄは他方の上面板８の切込み８ｃに対向する位置に形成される。
【００４２】
図６は包装時の紙容器１を示す斜視図である。包装時の紙容器１は切込み８ｂの係合が解除された状態で切込み８ｃと切込み８ｄとが係合して上面板８を閉じられ、シュリンク包装される。調理時の紙容器１は前述の図１に示すように切込み８ｂが互いに係合する。
【００４３】
包装時の紙容器１は切込み８ｂが互いに係合していないため、側面板６の上端間の距離が側面板７の上端の長さＬ２に略等しい状態で側面板６が係止される。即ち、切込み８ｃ及び切込み８ｄは包装時に側面板６の上端間の距離が側面板の上端の長さＬ２に略等しい状態で側面板６を係止する補助係止部を構成する。
【００４４】
第１実施形態のように、切込み８ｂが互いに係合した状態で紙容器１をシュリンク包装すると、折込片１１を覆うシュリンクフィルムと側面板６との隙間が大きい。このため、シュリンクフィルムは突起物が当接した際に破れやすくなる。
【００４５】
補助係止部により側面板６を係止して紙容器１をシュリンク包装すると、折込片１１を覆うシュリンクフィルムと側面板６との隙間を小さくできる。これにより、シュリンクフィルムを破れにくくすることができる。
【００４６】
本実施形態によると、第１実施形態と同様の効果を得ることができる。また、側面板６の上端間の距離が側面板７の上端の長さＬ２に略等しい状態で側面板６を係止する補助係止部（切込み８ｃ、８ｄ）が各上面板８に設けられる。これにより、補助係止部が係合した状態で紙容器１をシュリンク包装することにより、シュリンクフィルムを破れにくくすることができる。
【００４７】
また、側面板６の対向する方向に延びる切込み８ｃ、８ｄによって補助係止部を容易に形成することができる。
【００４８】
本実施形態において、補助係止部が切込み８ｃ、８ｄにより形成されるが、他の構成によって補助係止部を形成してもよい。例えば、突出部８ａの側辺上から側面板７の対向する方向に延びる切込みによって補助係止部を形成してもよい。また、一方の上面板８にスリットを設けて他方の上面板８に差込片を設け、差込片がスリットに係合して側面板６を係止する補助係止部を形成してもよい。
【００４９】
＜第３実施形態＞
次に、図７は第３実施形態の包装時の紙容器１の斜視図を示している。説明の便宜上、前述の図１〜図４に示す第１実施形態と同様の部分には同一の符号を付している。本実施形態は上面板８が側面板７に連設され、係止部が上面板８及び上面フラップ９に設けられる。その他の部分は第１実施形態と同様である。
【００５０】
紙容器１の折込片１１は第１実施形態と同様に側面板６の外面に接着される。一対の上面フラップ９は各側面板６（第１側面板）の上端から折曲され、一対の上面板８は各側面板７（第２側面板）の上端から折曲される。上面板８の開放端には突出部８ａが突出して設けられ、突出部８ａの根元から側面板６が対向する方向に延びる切込み８ｂが形成される。
【００５１】
紙容器１は内容物を収納して切込み８ｂの係合により上面板８を閉じた状態でシュリンクフィルム（不図示）によってシュリンク包装される。この時、両側面板６の上端間の距離は側面板７の上端の長さＬ２に略等しくなっている。
【００５２】
図８は紙容器１を展開したブランク板３０の平面図を示している。上面板８は側面板７に折り線２１を介して連設され、両側端部に切欠きから成る凹部８ｅが設けられる。これにより、凹部８ｅ上で上面板８の両側端間の幅Ｌ５は側面板７の上端の長さＬ２よりも短くなっている。
【００５３】
上面板８には側面板７の対向する方向に延びるスリット８ｆが一側方に偏って配される。スリット８ｆの周縁は半環状の切込みの両端を直線状のミシン目の折り線２１により連結される。スリット８ｆを一直線状の切込みにより形成してもよいが、半環状の切込み及びミシン目の折り線２１により形成すると後述する差込片９ｂを容易に挿入することができる。また、スリット８ｆの周縁の一部をミシン目の折り線２１により形成するため、打ち抜き屑の発生を防止することができる。
【００５４】
上面フラップ９は側面板６に折り線２１を介して連設される。上面フラップ９の両側端間の幅Ｌ６は側面板６の上端の長さＬ７よりも短く形成される。このため、上面フラップ９は切込み８ｂの係合により閉じた両上面板８の凹部８ｅ内に嵌まることができるようになっている。
【００５５】
上面フラップ９には湾曲した切欠き９ａによりスリット８ｆに差し込み可能な差込片９ｂが設けられる。切欠き９ａの両端には上面フラップ９の開放端に向かって延びる折り線２０が設けられる。これにより、差込片９ｂを容易にスリット８ｆに差し込むことができる。
【００５６】
図９は調理時の紙容器１の斜視図を示している。調理時に紙容器１は切込み８ｂの係合により上面板８が閉じられ、上面板８上に上面フラップ９が重ねられる。上面フラップ９の差込片９ｂは上面板８のスリット８ｆに差し込まれる。この時、上面フラップ９の下端が凹部８ｅ内に進入して側面板６が上面板８の側端に当接するようにスリット８ｆ及び差込片９ｂが配置される。
【００５７】
このため、側面板６の上端間の距離Ｌ１は上面板８の幅Ｌ５に略等しく、距離Ｌ１が側面板７の上端の長さＬ２よりも短い。即ち、スリット８ｆ及び差込片９ｂは対向する側面板６の上端間の距離Ｌ１が側面板７の上端の長さＬ２よりも短い状態で側面板６を係止する係止部を構成する。
【００５８】
これにより、側面板６の外面に接着した折込片１１の内面間に形成される蒸気の流路１１ａが広く形成される。このため、流動性の内容物が突沸しても折込片１１から噴きこぼれることを防止できる。
【００５９】
本実施形態によると、第１実施形態と同様に、対向する側面板６の上端間の距離Ｌ１が側面板７の上端の長さＬ２よりも短い状態で側面板６を係止する係止部（スリット８ｆ、差込片９ｂ）が設けられる。このため、係止部により側面板６を係止し、側面板６の外面に接着した折込片１１の内面間に形成される蒸気の流路１１ａを広く形成することができる。従って、流動性の内容物の突沸時に折込片１１から内容物が噴きこぼれることを防止できる。
【００６０】
また、スリット８ｆを設けた上面板８が側面板７の上端から折曲され、差込片９ｂを設けた上面フラップ９が側面板６の上端から折曲される。そして、差込片９ｂがスリット８ｆに差し込まれて係合することにより側面板６が係止される。これにより、側面板６を係止する係止部を容易に実現することができる。
【産業上の利用可能性】
【００６１】
本発明によると、流動性の内容物を収納して電子レンジにより加熱される電子レンジ加熱用紙容器に利用することができる。
【符号の説明】
【００６２】
１      紙容器
３      胴部
５      底面板
６      側面板（第１側面板）
７      側面板（第２側面板）
８      上面板
８ａ    突出部
８ｂ、８ｃ、８ｄ  切込み
８ｅ    凹部
８ｆ    スリット
９      上面フラップ
９ａ    切欠き
９ｂ    差込片
１１      折込片
１１ａ    流路
１６      収納部
２０、２１  折り線
３０      ブランク板
３１      紙層
３２      接着層
３３      保護層
【図１】
2020083398.tif 000003
【図２】
2020083398.tif 000004
【図３】
2020083398.tif 000005
【図４】
2020083398.tif 000006
【図５】
2020083398.tif 000007
【図６】
2020083398.tif 000008
【図７】
2020083398.tif 000009
【図８】
2020083398.tif 000010
【図９】
2020083398.tif 000011